(57)【特許請求の範囲】
【請求項１】
広域ネットワーク（１）に対して、ルータ（２ａ，２ｂ，２ｃ，２ｄ）を介して、所定の処理を行う実行部（５ａ，５ｂ）と、この実行部にて実行される処理の実行計画を作成する計画部（６）と、この計画部の実行計画の作成を遠隔操作する操作部（８）とを接続した広域ネットワークを介した遠隔制御システムであって、
前記操作部は、前記広域ネットワークを介して読出した前記計画部のホームページを表示部に表示するＷＷＷブラウザと、前記表示部に表示されたホームページを構成する前記実行計画に関する画面情報に対して操作入力された実行計画に関する操作情報を前記計画部へ送信する手段とを有し、
前記計画部は、前記操作部からの前記広域ネットワークを介したホームページの読出し要求に応じて、ＨＴＴＰを用いて前記操作部へＨＴＭＬを用いて作成された前記実行計画に関する画面情報を含むホームページを送信する手段と、前記操作部から受信した操作情報に基づいて前記実行計画を作成する手段と、この作成された実行計画を前記実行部へ送信する手段とを有し
たことを特徴とする広域ネットワークを介した遠隔制御システム。
【請求項２】
前記実行部から受信した実行結果を分析するとともに分析結果を前記操作部へ送信する分析部を、前記ルータを介して前記広域ネットワークに対して接続し、
前記操作部は、前記分析部から受信した分析結果を前記表示部に表示し、
前記計画部は、前記作成された実行計画に認証情報を付加して前記実行部へ送信し、
前記実行部は、前記計画部から受信した実行計画に付された認証情報が正当の場合、この実行計画に基づいて前記所定の処理を行う手段と、前記実行結果を前記分析部へ送信する手段とを有し
たことを特徴とする請求項１記載の広域ネットワークを介した遠隔制御システム。
【発明の詳細な説明】
【０００１】
【発明の属する技術分野】
本発明は広域ネットワークに対してルータを介して接続された実行部の動作を遠隔制御する広域ネットワークを介した遠隔制御システムに関する。
【０００２】
【従来の技術】
例えばＬＡＮ（ローカル・エリア・ネットワーク）における各端末装置相互間の通信品質を測定する場合においては、一般にＬＡＮの伝送路に測定装置を接続して、この測定装置でもって伝送路上を伝送される端末装置相互間の情報を監視すると共に、必要に応じて各端末装置に対してこの測定装置から試験情報を送信して該当端末装置からの応答所要時間を含む応答情報を評価する。
【０００３】
一般に、このようなＬＡＮの通信品質を評価する場合は、通信エラーやトラフィッイク量や平均応動時間や、１日又は１週間等の所定期間内における通信量の頻度分布特性等の統計量で評価する。したがって、一か所に測定装置を長期間設置して、測定を実施する。この場合、操作者は測定装置近傍に長期間に亘って駐在することができないので、この測定装置の記憶部に測定計画を記憶させておいて、この記憶された測定計画に基づいて自動的に各測定を実施させるようにしている。
【０００４】
この場合、操作者が試験計画を測定装置上で作成する場合は、この測定装置の操作部にＧＵＩ（グラフィカル・ユーザ・インタフェース）機能を搭載して、操作性を向上させるようにしている。
【０００５】
また、同一ＬＡＮの伝送路に、ＵＮＩＸシステム用に開発されたマルチウインドウ表示用のソフトウエアであるＸ−Ｗｉｎｄｏｗ  Ｓｙｓｔｅｍが組込まれたＸ端末を接続して、このＸ端末を用いて、測定装置と異なる位置でこの測定装置を制御したり、試験計画を作成する場合もある。
【０００６】
【発明が解決しようとする課題】
しかしながら、上述したＬＡＮに組込まれ、該当ＬＡＮの通信品質を測定する測定装置においても、まだ改良すべき次のような課題があった。
すなわち、測定装置に組込まれたＧＵＩ機能を用いて測定計画を作成する場合は、操作者は長時間に亘って測定装置の設置位置に滞在する必要があり、また、測定計画を変更する毎に、測定装置の設置場所に赴く必要がある。
【０００７】
さらに、Ｘ端末を用いる場合は、測定装置を遠隔操作できたり、測定計画を遠隔操作で作成することができる。この場合、Ｘ端末を用いて操作できるサーバとしての測定装置はあくまで同一ＬＡＮ内に組込まれている必要がある。
【０００８】
しかし、例えばインターネット等のように複数のネットワーク又はホストコンピュータがルータを介して接続された場合において、一つのＬＡＮに組込まれた測定装置を他のＬＡＮに組込まれたＸ端末で制御することは、前述したルータ近傍にファイアウォール等のセキュリティ機構が組込まれているために、実際上不可能である。
【０００９】
本発明はこのような事情に鑑みてなされたものであり、例えばインターネット等の広域ネットワークにそれぞれルータを介して接続された計画部に対してＨＴＴＰ（ハイパーテキスト転送プロトコル）を実装し、かつ操作部に対してはＷＷＷ（ワールド・ワイド・ウエブ）ブラウザを用いることによって、例えば異なるＬＡＮから計画部に対する実行計画の作成を通常のＧＵＩ機能を用いた操作で容易に実施でき、遠方に設置されたＬＡＮに組込まれた実行部に対する実行計画の作成及び実行結果の分析を簡単に得ることができる広域ネットワークを介した遠隔制御システムを提供することを目的とする。
【００１０】
【課題を解決するための手段】
上記課題を解消するために本発明の広域ネットワークを介した遠隔制御システムにおいては、広域ネットワークに対して、ルータを介して、所定の処理を行う実行部と、この実行部にて実行される処理の実行計画を作成する計画部と、この計画部の実行計画の作成を遠隔操作する操作部とを接続している。
【００１１】
そして、操作部は、広域ネットワークを介して読出した計画部のホームページを表示部に表示するＷＷＷブラウザと、表示部に表示されたホームページを構成する実行計画に関する画面情報に対して操作入力された実行計画に関する操作情報を前記計画部へ送信する手段とを有している。
また、計画部は、操作部からの広域ネットワークを介したホームページの読出し要求に応じて、ＨＴＴＰを用いて操作部へＨＴＭＬを用いて作成された実行計画に関する画面情報を含むホームページを送信する手段と、操作部から受信した操作情報に基づいて実行計画を作成する手段と、この作成された実行計画を実行部へ送信する手段とを有している。
【００１２】
また、別の発明は、上述した発明の広域ネットワークを介した遠隔制御システムにおいて、さらに、実行部から受信した実行結果を分析するとともに分析結果を操作部へ送信する分析部を、ルータを介して広域ネットワークに対して接続している。操作部は、分析部から受信した分析結果を表示部に表示している。計画部は、作成された実行計画に認証情報を付加して実行部へ送信する。さらに、実行部は、計画部から受信した実行計画に付された認証情報が正当の場合、この実行計画に基づいて所定の処理を行う手段と、実行結果を前記分析部へ送信する手段とを有している。
【００１３】
このように構成された広域ネットワークを介した遠隔制御システムにおいて、計画部においては、試験計画を作成するための各種条件を入力する場合における項目の入力や設定値等のデータや指令を実際にキー入力するのではなくて、この計画部に対して広域ネットワークを介して接続された操作部においてアイコンをクリックして、順次関連（リンクする）画面を読出していくＷＷＷブラウザが採用されている。
【００１４】
そして、この計画部が所属するＬＡＮとは広域ネットワークを介して異なるＬＡＮに所属する操作部は、広域ネットワークを介してこの計画部を読出してＷＷＷブラウザによるＧＩＵを介して情報交換を行って計画部の実行計画の作成を遠隔操作する。すなわち、操作者にとっては、表示された各項目を例えばマウス等で順番にクリックしていく。なお、計画部から操作部への画面情報の伝送はＨＴＴＰ（ハイパーテキスト転送プロトコル）を用いて実施される。
【００１５】
計画部で作成された実行計画は広域ネットワークを介して異なるＬＡＮに所属する実行部へ転送される。
この場合、実行部へ送信される実行計画には例えばパスワード等の認証情報が付加されているので、たとえ公開された広域ネットワークを用いた実行部に対する実行指令であっても、第３者が容易に実行部を実行制御できない。
【００１６】
実行部においては、認証情報が正当な場合のみ、受信した実行計画に従って所定の処理が実行され、実行結果が広域ネットワークを介して異なるＬＡＮに所属する分析部へ転送される。分析部においては、実行結果が分析され、分析結果は操作部へ転送され、操作部にて表示される。
したがって、操作者は操作部にて分析結果を把握することができる。
【００１７】
【発明の実施の形態】
以下本発明の一実施形態を図面を用いて説明する。
図１は実施形態の広域ネットワークを介した遠隔制御システムの概略構成を示す模式図である。
【００１８】
広域ネットワークとしてのインターネット１に対してそれぞれルータ２ａ，２ｂ，２ｃ，２ｄを介してＬＡＮ３ａ，３ｂ，３ｃ，３ｄが接続されている。各ＬＡＮ３ａ，３ｂ，３ｃ，３ｄ内にはそれぞれ複数の情報端末４ａ，４ｂ，４ｃ，４ｄが組込まれている。
【００１９】
そして、ＬＡＮ３ｃ，３ｄ内には、各情報端末４ｃ，４ｄの他に、自己のＬＡＮ３ｃ，３ｄ内における各情報端末４ｃ，４ｄ相互間の通信品質を測定する実行部としての測定装置５ａ，５ｂが組込まれている。
【００２０】
また、ＬＡＮ３ｂ内には、各情報端末４ｂの他に、計画装置６及び分析装置７が組込まれている。計画装置６は各測定装置５ａ，５ｂの測定計画を作成する。また、分析装置７は各測定装置５ａ，５ｂにおける測定結果を分析する。
【００２１】
さらに、ＬＡＮ３ａ内には、各情報端末４ａの他に、計画装置６における測定計画の作成を遠隔操作するとともに分析装置７の分析結果を収集して表示出力する操作装置８が組込まれている。
【００２２】
各ルータ２ａ〜２ｄは自己が接続された各ＬＡＮ２ａ〜３ｄに組込まれた各情報端末から出力された情報をインターネット１側へ送出するとともに、インターネット１側から入力された情報を各情報端末へ転送する中継機能を有する。さらに、各ルータ２ａ〜２ｄ内にはファイアウオールが設けられている。
【００２３】
図２は計画装置６の概略構成を示すブロック図である。
送受信部９は、操作装置８との間で、インターネット１を介して、スケジュールや測定条件等からなる測定計画を作成するための各種情報の授受を実行する。具体的には、計画装置６に対してインターネッ１を介して接続された操作装置８において測定計画を作成するための各種条件を入力する場合における項目の入力や設定値等のデータや指令を、操作者がアイコンをクリックして、順次関連（リンクする）画面を読出して指定していくＷＷＷブラウザが採用されている。
【００２４】
そして、送受信部９は、操作装置８の表示部に表示するＨＴＭＬ（ハイパーテキスト・メイクアップ言語）を用いて作成された画像をＨＴＴＰ（ハイパーテキスト転送プロトコル）を用いて送信する。また、送受信部９は、操作装置８にて操作者がマウス等を用いたクリック操作により入力された操作情報を受信する。
【００２５】
そして、送受信部９は受信した操作情報に含まれる認証情報としてのパスワードを読取って、このパスワードが予め設定された正当なパスワードの場合のみ、受信した操作情報を制御部１０を介してスケジュール・測定条件作成部１１へ転送する。
【００２６】
スケジュール・測定条件作成部１１は操作装置８から受信した操作情報に基づいて各測定装置５ａ，５ｂが試験を実施するためのスケジュール及び測定条件等からなる測定計画を作成する。スケジュール・測定条件作成部１１で作成されたスケジュール及び測定条件は次のスケジュール・測定条件ファイル１２に一旦記憶される。
【００２７】
このスケジュール・測定条件ファイル１２に記憶された各測定装置５ａ，５ｂに対するスケジュール及び測定条件からなる測定計画はスケジュール・測定条件送信部１３を介して対応する各測定装置５ａ，５ｂへ送信される。
【００２８】
パスワード設定部２７は、スケジュール・測定条件送信部１３から各測定装置５ａ，５ｂへ送信される各測定計画に対してパスワードを付加する。
測定結果受信部１４は各測定装置５ａ，５ｂからインターネット１を介して測定結果を受信して、一旦測定結果ファイル１５へ書込む。エラーチエック部１６は測定結果ファイル１５に記憶されている各測定結果を読出してエラーの有無を判断して、判断結果をエラーログとして、エラーログファイル１７へ書込むとともに操作・通信ログファイル１８へ書込む。
【００２９】
エラーログファイル１７へ書込まれたエラーの有無判断された測定結果は、制御部１０を介して集計部１９へ入力される。集計部１９は入力された測定結果を集計ファイル２０へ集計する。集計ファイル２０に集計された測定結果は一括して分析装置７へ送信される。
【００３０】
分析装置７は受信したエラー有無判断された測定結果に対して統計的処理を実施する。例えばＬＡＮ３ｃ，３ｄの各情報端末相互間における通信エラーや伝送路のトラフィッイク量や平均応動時間や、１日又は１週間等の所定期間内における通信量の頻度分布特性等を求める。分析装置７はこの求めた分析結果をインターネット１を介して操作装置８へ送信する。
【００３１】
図３は各測定装置５ａ，５ｂの概略構成を示すブロック図である。
スケジュール・測定条件受信部２１はインターネット１を介して計画装置６からスケジュール及び測定条件等からなる測定計画を受信すると、この測定計画に付されたパスワードが予め設定された正当なパスワードであることを確認する。スケジュール・測定条件受信部２１はパスワードの確認が終了すると、受信した測定計画をスケジュール・測定条件ファイル２２へ書込む。
【００３２】
スケジュール管理部２３は、外部から現在の時刻情報が入力されており、スケジュール・測定条件ファイル２２に記憶されたスケシュール及び測定条件に基づいたタイミングで指定された測定条件に対応する測定指示を測定部２４へ送出する。
【００３３】
測定部２４は測定指示に基づいて、例えば、自己が所属するＬＡＮ３ｃ，３ｄの各情報端末４ｃ，４ｄへ試験信号を送信して、各情報端末４ｃ，４ｄから応答信号を受信する等の測定を実施し、各測定結果を測定結果ファイル２５へ時系列的に書込む。測定結果送信部２６は測定結果ファイル２５に時系列的に蓄積された測定結果を所定の周期で一括して計画装置６へ送信する。
【００３４】
図４はＬＡＮ３ａ内に組込まれた操作装置８の概略構成を示すブロック図である。
送受信部３１は、計画装置６との間で、インターネット１を介して、スケジュールや測定条件等からなる測定計画を作成するための各種情報の授受を実行する。具体的には、計画装置６からＨＴＴＰを用いて送信されたＨＴＭＬで作成されたＷＷＷの画像を受信して、制御部３２を介してＧＵＩ３３へ送信する。また、送受信部３１は、ＧＵＩ３３から制御部３２を介して送出された操作情報をインターネット１を介して計画装置６へ送信する。
【００３５】
前記ＧＵＩ３３にはＣＲＴ表示装置からなる表示部３４，マウス３５及びキーボード３６が接続されている。そして、ＧＵＩ３３は受信した画像を表示部３４へ表示するとともに、マウス３５やキーボード３６操作で入力された操作情報を送受信部３１へ送出する。
【００３６】
具体的には、図５（ａ）〜（ｄ）に示すように、ＨＴＴＰを用いて最初に受信した全体を示す画面３７ａ（ホームページ）から、操作者が測定計画をマウス３５でクリックすると、このクリックの操作情報が送受信部３１を介して、計画装置６へ送信される。このクリックの操作情報に応じてクリック操作で選択された項目に対応する画面の画像が計画装置６からＨＴＴＰを用いて送信されて表示される。
【００３７】
例えば、操作者が、全体を示す画面３７ａが表示された状態において、測定項目の選択をクリックすると、図５（ｂ）に示すように、測定項目の選択画面３７ｂが表示される。
【００３８】
また、全体を示す画面３７ａが表示された状態において、測定対象端末の選択をクリックすると、図５（ｃ）に示すように、測定対象端末の選択画面３７ｂが表示され、さらに、全体を示す画面３７ａが表示された状態において、測定スケジュールをクリックすると、図５（ｄ）に示すように、測定スケジュールの設定画面３７ｄが表示される。
【００３９】
このように、計画装置６が所属するＬＡＮ３ｂに対してインターネット１を介して異なるＬＡＮ３ａに所属する操作装置８のＧＵＩ３３は、インターネット１を介してこの計画装置６のホームページを読出してＷＷＷブラウザによる情報交換を行って計画装置６における測定計画の作成を遠隔操作する。
【００４０】
すなわち、操作者にとっては、自己の操作装置８の表示部３４に表示された画面３７ａ〜３７ｄに表示された各項目を例えばマウス３５等で順番にクリックしていくのみでよい。
【００４１】
パスワード設定部３８は、ＧＵＩ３３から制御部３２を介して送受信部３１へ転送される操作情報にパスワードを付加して、計画装置６において第３者にる測定計画の作成の指示を受付けないよう保護している。
【００４２】
また、送受信部３１は分析装置７から送信された分析結果を受信して、分析結果ファイル３９へ書込む。分析結果表示制御部４０は分析結果フアイル３９に記憶された各測定装置５ａ，５ｂにおける分析結果をＧＵＩ３３を介して表示部３４へ表示出力する。
【００４３】
図６は操作装置８の表示部３４に表示された分析結果の一部である１週間における通信量の頻度分布特性である。
このように構成された広域ネットワークを介して遠隔制御システムにおいて、計画装置６は、自己のＷＷＷのＨＴＭＬを用いて作成された画像情報をＨＴＴＰを用いて操作装置８へ送信し、ＧＵＩ３３を用いて表示部３４に表示し、さらに、操作装置８からのマウス３５のクリック操作等による操作情報を受信して、この操作情報に基づいて測定計画を立案している。
【００４４】
なお、第３者が計画装置６を操作しないように、操作情報にパスワードを付加している。さらに、第３者が測定装置５ａ，５ｂを操作しないように、送信される測定計画にパスワードを付加している。
【００４５】
したがって、たとえ計画装置６と操作装置８とが異なるＬＡＮ３ｂ，３ａに所属し、両者がインターネット１を介してのみ接続されていたとしても、測定計画の作成作業性が低下することはない。
【００４６】
そして、計画装置６で作成されたスケジュールと測定条件等からなる測定計画はインターネット１を介して対応する各測定装置５ａ，５ｂへ送信される。各測定装置５ａ，５ｂは測定計画に基づいて測定を実施する。測定結果は計画装置６を介して分析装置７へ送信される。分析装置７は測定結果を分析して分析結果を操作装置８へ送信する。
【００４７】
このように、各測定装置５ａ，５ｂは測定対象のＬＡＮ３ｃ，３ｄ内に組込まれている必要があるが、計画装置６、分析装置７及び操作装置８の設置位置は，インターネット１に接続されていれば、所属するＬＡＮが特に限定されるものではない。したがって、操作者は各測定装置５ａ，５ｂの設置場所に赴く必要がなく、自己の都合のよいＬＡＮ３ａ上に操作装置８を設置すればよく、測定作業能率が大幅に向上する。
【００４８】
なお、本発明は上述した実施形態に限定されるものではない。実施形態においては、計画装置６と分析装置７とを同一ＬＡＮ３ｂ内に組込んだが、インターネット１を介して互いに異なるＬＡＮに組込んでもよい。
【００４９】
さらに、実施形態においては、実行部として、ＬＡＮ３ｃ，３ｄにおける通信品質の測定を行う測定装置５ａ，５ｂを用いたが、ＬＡＮに対する測定装置５ａ，５ｂに限定されるものではなく、例えば一定の測定スケジュールに従って気象データを測定する測定装置であってもよい。
【００５０】
【発明の効果】
以上説明したように本発明の広域ネットワークを介した遠隔制御システムにおいては、例えばインターネット等の広域ネットワークにそれぞれルータを介して接続された計画部に対してＨＴＴＰ（ハイパーテキスト転送プロトコル）を実装し、かつ操作部に対してはＷＷＷ（ワールド・ワイド・ウエブ）ブラウザを用いている。そして、操作部はＨＴＴＰで送信された画像を表示している。
【００５１】
したがって、例えば、互いに異なるＬＡＮに組込まれた操作部から計画部に対する実行計画の作成を通常のＧＵＩ機能を用いた操作で実施でき、遠方に設置されたＬＡＮに組込まれた実行部に対する実行計画の作成及び実行結果の分析を容易に得ることができ、操作性を大幅に向上できる。
【図面の簡単な説明】
【図１】  本発明の一実施形態の広域ネットワークを介した遠隔制御システムの概略構成を示す模式図
【図２】  同遠隔制御システムに組込まれた計画装置の概略構成を示すブロック図
【図３】  同遠隔制御システムに組込まれた測定装置の概略構成を示すブロック図
【図４】  同遠隔制御システムに組込まれた操作装置の概略構成を示すブロック図
【図５】  同操作装置の表示部に表示された実行計画を作成するための選択画面を示す図
【図６】  同操作装置の表示部に表示された分析結果を示す図
【符号の説明】
１…インターネット
２ａ，２ｂ，２ｃ，２ｄ…ルータ
３ａ，３ｂ，３ｃ，３ｄ…ＬＡＮ
４ａ，５ｂ，４ｃ，４ｄ…情報端末
５ａ，５ｂ…測定装置
６…計画装置
７…分析装置
８…操作装置
９，３１…送受信部
１１…スケジュール・測定条件作成部
１６…エラーチェック部
２４…測定部
２７，３８…パスワード設定部
３３…ＧＵＩ
４０…分析結果表示部
【図１】
0003748127.tif 000002
【図２】
0003748127.tif 000003
【図３】
0003748127.tif 000004
【図４】
0003748127.tif 000005
【図５】
0003748127.tif 000006
【図６】
0003748127.tif 000007